(57)【特許請求の範囲】
【請求項１】
取得した非圧縮のデジタル映像信号に基づいて映像データを記録媒体に記録する記録装置であって、
前記非圧縮のデジタル映像信号をフレーム単位に圧縮する圧縮手段と、
圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段と
前記圧縮手段による圧縮の前後の各映像データに基づき、圧縮が所定の画質に係る基準を満たすように行われたか否かフレーム単位に判定する判定手段とを備え、
前記所定選択方式は、前記判定手段が前記基準を満たすと判定した場合は、圧縮後の映像データを選択し、前記基準を満たさないと判定した場合は、非圧縮の映像データを選択する方式であり、
前記記録手段は、前記所定選択方式に従って選択した各映像データに前記時刻情報を付与して圧縮後の映像データか非圧縮の映像データか識別できるようにし、トランスポートストリームとして記録し、
前記判定手段は、前記圧縮手段によって圧縮された映像データをフレーム毎に伸長し、伸長した映像データと非圧縮の映像データの対応する各画素の画素値の差分を算出し、当該フレームの差分合計が所定の閾値以上である場合に前記基準を満たすと判定し、閾値未満である場合に前記基準を満たさないと判定すること
を特徴とする記録装置。
【請求項２】
取得した非圧縮のデジタル映像信号に基づいて映像データを記録媒体に記録する記録装置であって、
前記非圧縮のデジタル映像信号をフレーム単位に圧縮する圧縮手段と、
圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段と
前記圧縮手段による圧縮の前後の各映像データに基づき、圧縮が所定の画質に係る基準を満たすように行われたか否かフレーム単位に判定する判定手段とを備え、
前記所定選択方式は、前記判定手段が前記基準を満たすと判定した場合は、圧縮後の映像データを選択し、前記基準を満たさないと判定した場合は、非圧縮の映像データを選択する方式であり、
前記記録手段は、前記所定選択方式に従って選択した各映像データに前記時刻情報を付与して圧縮後の映像データか非圧縮の映像データか識別できるようにし、トランスポートストリームとして記録し、
前記記録手段は、アダプテーションフィールドコントロールの値を設定することにより記録する各映像データが圧縮後の映像データか非圧縮の映像データかを識別可能にし、
圧縮後の映像データを記録する場合には、アダプテーションフィールドを含めずにトランスポートストリームパケット化を行い、非圧縮の映像データを記録する場合には、アダプテーションフィールドに当該非圧縮の映像データを格納するようにトランスポートストリームパケット化を行い、各トランスポートストリームパケットを前記記録媒体に記録すること
を特徴とする記録装置。
【請求項３】
取得した非圧縮のデジタル映像信号に基づいて映像データを記録媒体に記録する記録装置であって、
前記非圧縮のデジタル映像信号をフレーム単位に圧縮する圧縮手段と、
圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段と、
前記記録媒体に記録された映像データを読出し、読み出した映像データが圧縮後の映像データか非圧縮の映像データかを判断し、非圧縮の映像データの場合に、当該映像データを前記圧縮手段に圧縮させ、当該映像データに付与されている時刻情報を再度付与させ、当該非圧縮の映像データを時刻情報が再付与された圧縮後の映像データに置換えて前記記録媒体に記録させる再圧縮記録制御手段と
を備えることを特徴とする記録装置。
【請求項４】
取得した非圧縮のデジタル映像信号に基づいて映像データを記録媒体に記録する記録装置であって、前記非圧縮のデジタル映像信号をフレーム単位に圧縮する圧縮手段と、圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段とを備えることを特徴とする記録装置によって、記録媒体に記録された映像データを再生する再生装置であって、
前記映像データを所定量毎に読出し、読出した映像データが圧縮後の映像データか非圧縮の映像データかを判別する判別手段と、
前記判別手段により圧縮後の映像データとして判別された映像データを伸長し、当該映像データに付与された時刻情報を抽出する第一抽出手段と、
前記判別手段により非圧縮の映像データと判別された映像データに付与された時刻情報を抽出する第二抽出手段と、
前記第一抽出手段で伸長された映像データを前記第一抽出手段で抽出された時刻情報に基づくタイミングで出力し、前記非圧縮の映像データと判別された映像データを前記第二抽出手段で抽出された時刻情報に基づくタイミングで出力する出力手段と
を備えることを特徴とする再生装置。
【請求項５】
取得した非圧縮のデジタル映像信号に基づいて映像データを記録媒体に記録し、再生する記録再生システムであって、
前記デジタル映像信号をフレーム単位に圧縮する圧縮手段と、
圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段と、
前記記録手段によって記録された映像データを所定量毎に読出し、読出した映像データが圧縮後の映像データか非圧縮の映像データかを判別する判別手段と、
前記判別手段により圧縮後の映像データとして判別された映像データを伸長し、当該映像データに付与された時刻情報を抽出する第一抽出手段と、
前記判別手段により非圧縮の映像データとして判別された映像データに付与された時刻情報を抽出する第二抽出手段と、
前記第一抽出手段で伸長された映像データを前記第一抽出手段で抽出された時刻情報に基づくタイミングで出力し、前記非圧縮の映像データと判別された映像データを前記第二抽出手段で抽出された時刻情報に基づくタイミングで出力する出力手段と
を備えることを特徴とする記録再生システム。
【請求項６】
取得した非圧縮のデジタル映像信号に基づいて映像データを記録媒体に記録し、再生する記録再生装置の集積回路であって、
前記デジタル映像信号をフレーム単位に圧縮する圧縮部と、
圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして前記記録媒体に逐次記録する記録部と、
前記記録部によって記録された映像データを所定量毎に読出し、読出した映像データが圧縮後の映像データか非圧縮の映像データかを判別する判別部と、
前記判別部により圧縮後のデータとして判別された映像データを伸長し、当該映像データに付与された時刻情報を抽出する第一抽出部と、
前記判別手段により非圧縮の映像データとして判別された映像データに付与された時刻情報を抽出する第二抽出部と、
前記第一抽出手段で伸長された映像データを前記第一抽出手段で抽出された時刻情報に基づくタイミングで出力し、前記非圧縮の映像データとして判別された映像データを前記第二抽出手段で抽出された時刻情報に基づくタイミングで出力する出力部と
を含むことを特徴とする集積回路。
【発明の詳細な説明】
【技術分野】
【０００１】
本発明は、デジタル映像信号を圧縮記録し、記録した映像データを再生する記録再生装置に関し、特に、圧縮処理能力に制限がある場合のデジタル映像信号を記録する技術に関する。
【背景技術】
【０００２】
従来、デジタル放送番組等の映像コンテンツを受信してハードディスクレコーダ等の記録媒体に記録し、再生する記録再生装置が提供されており、映像コンテンツを記録する際には、その映像コンテンツの映像信号を符号化圧縮する処理が行われる。
映像信号の符号化圧縮処理は、一般にMPEG-2システム規格等に従って行われるが、高精度な圧縮を行うほど圧縮に係る予測符号化処理の演算量は膨大になり、符号化圧縮処理に時間を要するため、記録再生装置の処理能力をできるだけ最大限に用いて符号化圧縮処理を行う必要がある。
【０００３】
また、既にCD(Compact Disc)等に記録されたデジタル音声データ等、MPEGシステム以外のフォーマットのデジタル信号を、MPEGシステム規格に準拠した既存のCDフォーマット上に保存することができるように記録する方法として特許文献１の記録方法が知られている。この記録方法は、MPEGシステム以外のフォーマットのデジタルコンテンツに圧縮処理を施さず、コンテンツを一括してトランスポートストリーム形式にして記録するものである。
【特許文献１】特開平９−２６１２３７号公報
【発明の開示】
【発明が解決しようとする課題】
【０００４】
ところで、例えば、ある映像コンテンツをMPEG-2システム規格等に従って符号化圧縮して記録している途中で、ユーザから他の映像コンテンツをダビングする要求がなされる場合等、複数の映像コンテンツの記録処理が並列して行われる場合がある。
このような場合、従来の記録再生装置は、圧縮処理能力の制限により、先に受付けた記録要求に係る記録処理が終了するまで他の映像コンテンツの記録要求を受付けないか、圧縮処理に係る演算量を減らして圧縮し記録する。そのため、要求を受付けないのはもとより問題であるが、要求を受付けて圧縮し記録した場合にも、それに伴って一般に再生時の画質が低下するので問題がある。
【０００５】
本発明は、ユーザから複数の映像コンテンツの記録要求がなされた場合でも、ユーザからの映像コンテンツの記録要求を受付け、いずれの映像コンテンツも画質の劣化を防いだ上でできるだけ圧縮して記録し、記録した映像データを再生することを可能にする記録再生装置を提供することを目的とする。
【課題を解決するための手段】
【０００６】
上記問題を解決するため、本発明に係る記録装置は、取得した非圧縮のデジタル映像信号に基づいて映像データを記録媒体に記録する記録装置であって、前記非圧縮のデジタル映像信号をフレーム単位に圧縮する圧縮手段と、圧縮後の映像データと非圧縮の映像データのいずれの映像データを記録するかを選択するための所定選択方式に従い、圧縮後の各映像データ及び非圧縮のデジタル映像信号に基づく映像データのいずれかを、所定単位毎にその表示タイミングを示す時刻情報を付与し、圧縮後の映像データか非圧縮の映像データかを識別できるようにして、前記記録媒体に逐次記録する記録手段とを備えることを特徴とする。
【０００７】
また、本発明に係る再生装置は、前記記録装置によって記録媒体に記録された映像データを再生する再生装置であって、前記映像データを所定量毎に読出し、読出した映像データが圧縮後の映像データか非圧縮の映像データかを判別する判別手段と、前記判別手段により圧縮後の映像データとして判別された映像データを伸長し、当該映像データに付与された時刻情報を抽出する第一抽出手段と、前記判別手段により非圧縮の映像データと判別された映像データに付与された時刻情報を抽出する第二抽出手段と、前記第一抽出手段で伸長された映像データを前記第一抽出手段で抽出された時刻情報に基づくタイミングで出力し、前記非圧縮の映像データと判別された映像データを前記第二抽出手段で抽出された時刻情報に基づくタイミングで出力する出力手段とを備えることを特徴とする。
【０００８】
また、本発明に係る記録媒体は、映像コンテンツが記録された記録媒体であって、前記映像コンテンツは、フレーム毎に圧縮後の映像データ及び当該映像データの表示タイミングを示す時刻情報と、非圧縮の映像データ及び当該映像データの時刻情報とのいずれかで構成され、圧縮後の映像データと非圧縮の映像データか識別できることを特徴とする。
【発明の効果】
【０００９】
この構成によれば、所定単位の非圧縮の映像データと圧縮後の映像データの各々に対して、各映像データの表示タイミングを示す時刻情報を付与して記録しているので、非圧縮の映像データと圧縮後の映像データのいずれを選択しても、選択した映像データは時間軸上連続して記録される。そのため、記録した映像データを再生する際には、各映像データに付与された時刻情報に基づいて各映像データの画像を表示すれば、受信したデジタル映像信号で示される映像コンテンツを再生することができる。
【００１０】
また、前記所定選択方式が例えば一定の画質基準を保つように選択する方式であれば、映像コンテンツの画質の劣化を防ぐと共にできるだけ圧縮して記録することができる。
更に、記録手段により非圧縮か圧縮後の映像データか識別できるように所定単位毎の映像データが記録媒体に記録されるので、その記録された映像データを再生する際、非圧縮か圧縮後の映像データに応じて映像データを伸長し再生することができる。
【００１１】
従って、例えば、ある映像コンテンツを圧縮記録中に他の映像コンテンツの圧縮記録要求を受付けると圧縮処理能力の制限を超える場合でも、要求された圧縮記録対象となる映像コンテンツについては、他方の圧縮記録処理が終了するまで非圧縮の映像データを選択して記録し、他方の圧縮記録処理の終了後に圧縮後の映像データを選択して記録することができるので、ユーザの要求を満たすと共に、映像コンテンツのデータサイズを軽減すべくできるだけ圧縮して記録することができる。
【００１２】
また、前記記録装置は、更に、前記圧縮手段による圧縮の前後の各映像データに基づき、圧縮が所定の画質に係る基準を満たすように行われたか否かフレーム単位に判定する判定手段を備え、前記所定選択方式は、前記判定手段が前記基準を満たすと判定した場合は、圧縮後の映像データを選択し、前記基準を満たさないと判定した場合は、非圧縮の映像データを選択する方式であり、前記記録手段は、前記所定選択方式に従って選択した各映像データに前記時刻情報を付与して圧縮後の映像データか非圧縮の映像データか識別できるようにし、トランスポートストリームとして記録することとしてもよい。
【００１３】
この構成によれば、判定手段により圧縮後の映像データが所定の画質基準を満たしていないと判定した場合には、非圧縮の映像データに時刻情報が付与されて記録される。そのため、例えば、複数の圧縮記録処理が並行して行われる際に、圧縮に要する演算処理負荷を軽減するために圧縮レートを下げて圧縮しても、圧縮後の映像データが一定の画質基準を満たしていなければ非圧縮の映像データを記録するので、一定の画質基準を保った状態で記録することができる。
【００１４】
また、前記判定手段は、前記圧縮手段によって圧縮された映像データをフレーム毎に伸長し、伸長した映像データと非圧縮の映像データの対応する各画素の画素値の差分を算出し、当該フレームの差分合計が所定の閾値以上である場合に前記基準を満たすと判定し、閾値未満である場合に前記基準を満たさないと判定することとしてもよい。
この構成によれば、判定手段は、各フレームの圧縮後の映像データを伸長した映像データと、当該フレームの非圧縮の映像データに対応する各画素値を比較することにより所定の画質基準を満たすか否か判断するので、たとえ複数の圧縮記録処理を受付けた際に圧縮のレートを落としたとしてもフレーム全体での画質を判断することができ、フレーム単位に圧縮性能が悪化しているか否か容易に判断することができる。
【００１５】
また、前記記録手段は、アダプテーションフィールドコントロールの値を設定することにより記録する各映像データが圧縮後の映像データか非圧縮の映像データかを識別可能にし、圧縮後の映像データを記録する場合には、アダプテーションフィールドを含めずにトランスポートストリームパケット化を行い、非圧縮の映像データを記録する場合には、アダプテーションフィールドに当該非圧縮の映像データを格納するようにトランスポートストリームパケット化を行い、各トランスポートストリームパケットを前記記録媒体に記録することとしてもよい。
【００１６】
この構成によれば、MPEG-2システム標準で定められているアダプテーションフィールドコントロール値によって、圧縮後の映像データか非圧縮の映像データかを識別することができ、非圧縮の映像データをアダプテーションフィールドに格納することができるので、非圧縮の映像データをトランスポートパケットに格納するための新たな定義を設けることなく既存のMPEG-2システム標準に従って記録することができる。
【００１７】
また、前記記録装置は、更に、前記記録媒体に記録された映像データを読出し、読み出した映像データが圧縮後の映像データか非圧縮の映像データかを判断し、非圧縮の映像データの場合に、当該映像データを前記圧縮手段に圧縮させ、当該映像データに付与されている時刻情報を再度付与させ、当該非圧縮の映像データを時刻情報が再付与された圧縮後の映像データに置換えて前記記録媒体に記録させる再圧縮記録制御手段を備えることとしてもよい。
【００１８】
この構成によれば、非圧縮の映像データと圧縮後の映像データを混在させて一旦記録媒体に記録させた場合でも、例えば、複数の記録処理が集中して行われにくい夜間等に非圧縮の映像データを読出して圧縮し、その圧縮した映像データと非圧縮の映像データを置き換えて記録することができるので、記録媒体に記録されている映像データのデータサイズを小さくすることができ、記憶領域を増やすことができる。
【発明を実施するための最良の形態】
【００１９】
＜実施の形態１＞
＜概要＞  
本発明に係る記録再生装置は、MPEG-2システム規格に準拠しており、例えば、記録再生装置が、テレビ放送番組等の非圧縮のデジタル映像コンテンツを圧縮して記録している際に、他の映像コンテンツのダビング処理が行われる等、複数の圧縮処理が並行して行われる場合において、装置内部の圧縮処理能力の制限を超える場合には、圧縮に係る演算の負荷を軽減するように圧縮レートを下げる等、画質を落として圧縮を行う。
【００２０】
上記の場合において、本発明に係る記録再生装置は、圧縮処理能力の一定制限内で圧縮処理を行う場合には、圧縮された各映像データ(以下、「圧縮後映像データ」と言う。)に各映像データの表示時刻を示す時刻情報を付加し、トランスポートストリーム(ＴＳ)パケットにして記録媒体に記録し、圧縮処理能力の一定制限を超える圧縮記録要求を受付け、所定の画質基準以下で圧縮処理を行う場合には、非圧縮のデジタル映像信号に基づく各映像データに各映像データの表示時刻を示す時刻情報を付加し、ＴＳパケットのフォーマットで記録媒体に記録する。
【００２１】
尚、所定の画質基準を満たすか否かの判断は、フレーム毎の圧縮後映像データを復号した結果と非圧縮の映像データ(以下、「非圧縮映像データ」と言う。)を比較して、当該フレームにおいて圧縮後の画質が所定の基準以上であるか否かを判断し、映像データを記録する際には、その判断結果を示す制御信号に基づいて圧縮後映像データか非圧縮映像データのいずれかを記録媒体に記録する。
【００２２】
ここで、上述した記録処理について図２を用いて説明する。
図２(ａ)は、圧縮後の画質が所定基準以上であるか否かを示す制御信号を例示しており、信号レベルがLowの区間は所定の基準を満たす圧縮が行われたことを示し、Highの区間は所定の基準を満たさない圧縮が行われたことを示している。
同図(ｂ)は、デジタル映像信号を圧縮したビットストリームをフレーム毎にPESパケット化したものを示しており、同図(ｃ)は、非圧縮のデジタル映像信号に基づく映像データを示している。
【００２３】
また、同図(ｄ)は、同図(ａ)で示す制御信号のレベルに応じて選択されてＴＳパケット化された映像データを示している。同図に示す様に、制御信号がLowの区間はPESパケット化された圧縮後映像データをＴＳパケット化して記録し、Highの区間は非圧縮映像データをＴＳパケット化して記録することにより、デジタル映像コンテンツを一つのＴＳとして記録することができる。
【００２４】
尚、本実施の形態において、記録媒体に記録された映像データが圧縮後映像データか否かを識別するための情報として、ＴＳパケットのアダプテーションフィールドコントロールを用い、非圧縮映像データの場合には、アダプテーションフィールドコントロール値を“０１”に設定し、アダプテーションフィールドを含まないようにＴＳパケット化し、圧縮後映像データの場合には、アダプテーションフィールドコントロール値を“１０”又は“１１”に設定し、アダプテーションフィールドを含むようにＴＳパケット化する。
【００２５】
また、上述のように圧縮後映像データと非圧縮映像データが混在したＴＳを再生する場合には、各ＴＳパケット内のアダプテーションフィールド値に基づいて、圧縮後映像データか非圧縮映像データかを判断し、各映像データに含まれた時刻情報に基づくタイミングで各映像データの再生処理を行う。
＜構成＞
以下、上述した本発明に係る記録再生装置の構成について図１を用いて説明する。
【００２６】
図１は、本実施の形態に係る記録再生装置の機能構成図を示しており、記録再生装置は、記録部１００と再生部２００を含む。
＜記録部１００＞
記録部１００は、圧縮部１１０、第１ＰＴＳ付与部１３０、第２ＰＴＳ付与部１４０、ＴＳ化部１５０、及び記憶部１６０で構成される。
【００２７】
以下、各部について説明する。
圧縮部１１０は、圧縮符号化部１１１と判定部１２０を含んで構成されている。
ここで、圧縮符号化部１１１は、非圧縮のデジタル映像信号を取得し、デジタル映像信号をフレーム単位にフレーム間情報を用いて所定の圧縮レートで符号化して圧縮し、その圧縮データとローカルデコーダ１２１での復号データの差分が最小となる圧縮データを第１ＰＴＳ付与部１３０へ送出する機能を有している。尚、例えば、映像コンテンツの記録要求を２つ以上受付けた場合等、圧縮処理能力の一定の制限を超える記録要求を受付けた場合には、通常の圧縮レートより低レートで映像信号を圧縮する。
【００２８】
尚、本実施の形態では、単一の圧縮記録処理要求であっても、圧縮後映像データの画質が所定基準を満たしているか否かを後述する判定部１２０で判定し、所定基準を満たした圧縮後映像データを第１ＰＴＳ付与部１３０へ送出する。また、非圧縮デジタル映像信号に基づく各フレームを圧縮する際には、当該フレームより一つ前のフレームについてローカルデコーダ１２１で復号された映像データと非圧縮の当該フレームの映像データに基づいて符号化圧縮を行う。
【００２９】
判定部１２０は、ローカルデコーダ１２１及び差分比較部１２２を含んで構成されており、所定の画質基準を満たす圧縮が行われたか否かを判断する機能を有する。
以下、判定部１２０の各部について説明する。
ローカルデコーダ１２１は、圧縮後映像データを復号し、復号後の映像データを圧縮符号化部１１１と差分比較部１２２へ送出する機能を有する。
【００３０】
また、差分比較部１２２は、１フレーム分の復号された映像データと、その映像データに対応する非圧縮映像データの各画素値の差分を算出し、算出した差分合計が閾値以上か否かを判断し、閾値以上であればLowレベルの制御信号をＴＳ化部１５０へ送出し、閾値未満であればHighレベルの制御信号をＴＳ化部１５０へ送出する機能を有する。
第１ＰＴＳ付与部１３０は、各フレームの表示タイミングを示すプレゼンテーションタイムスタンプ(以下、「ＰＴＳ」と言う。)を圧縮後映像データに付与し、ＰＥＳパケット化してＴＳ化部１５０へ送出する機能を有する。
【００３１】
第２ＰＴＳ付与部は、非圧縮のデジタル映像信号を取得し、フレーム毎にＰＴＳを付与し、フレームの各画素値を示す映像データをＴＳ化部１５０へ送出する機能を有する。
ＴＳ化部１５０は、制御信号と、圧縮後映像データを含むＰＥＳパケット及び非圧縮映像データを取得し、制御信号の信号レベルに応じてＰＥＳパケットか非圧縮映像データのいずれかを選択し、選択した映像データをＴＳパケット化し、ＴＳパケットを一つのＴＳとして記憶部１６０へ格納する機能を有する。
【００３２】
尚、ＴＳパケット化の処理において、ＰＥＳパケット、即ち圧縮後映像データを選択する場合には、ＴＳ化部１５０は、アダプテーションフィールドコントロール値を“０１”に設定し、アダプテーションフィールドを含まないように、同じＰＩＤを有するＴＳパケットのペイロードにＰＥＳパケットを挿入する。また、非圧縮映像データを選択する場合には、ＴＳ化部１５０は、アダプテーションフィールドコントロール値を“１０”又は“１１”に設定し、同じＰＩＤを有するＴＳパケットのアダプテーションフィールドに所定サイズの非圧縮映像データを挿入する。
【００３３】
記憶部１６０は、ハードディスク等の記録媒体で実現され、ＴＳ化部１５０によって送出されたＴＳパケットを取得し、ＴＳパケットの到着タイミングを示すArrival Time Stamp(ＡＴＳ)をＴＳパケットに付加して記憶する機能を有する。
＜再生部２００＞
再生部２００は、読出部２１０、ＴＳ分離部２２０、第１ＰＴＳ抽出部２４０、復号部２５０、第２ＰＴＳ抽出部２３０、及び表示制御部２６０で構成される。
【００３４】
以下、各部について説明する。
読出部２１０は、記憶部１６０に記憶されているＴＳをＴＳパケットに付加されたＡＴＳに基づいて読み出す機能を有する。
ＴＳ分離部２２０は、読み出されたＴＳのＴＳパケット毎に、ＴＳパケットヘッダのアダプテーションフィールドコントロール値に応じて、第１ＰＴＳ抽出部２４０へＰＥＳパケットを送出すると共に、ＰＥＳパケットに格納されているエレメンタリーストリーム(ＥＳ)、即ち圧縮後映像データを復号部２５０へ送出する。また、アダプテーションフィールドコントロール値に応じて、第２ＰＴＳ抽出部２３０へアダプテーションフィールドに格納されたデータを送出し、表示制御部２６０へアダプテーションフィールドに格納された非圧縮映像データを送出する機能を有する。
【００３５】
第１ＰＴＳ抽出部２４０は、受付けたＰＥＳパケットのヘッダ部からＰＴＳを抽出し、表示制御部２６０へＰＴＳを送出する機能を有する。
復号部２５０は、圧縮後映像データを取得して伸長し、伸長した映像データを表示制御部２６０へ送出する機能を有する。
また、第２ＰＴＳ抽出部２３０は、アダプテーションフィールドに格納されたデータを取得し、ＰＴＳを抽出して表示制御部２６０へ送出する機能を有する。
【００３６】
表示制御部２６０は、復号された映像データ及び非圧縮映像データと、各映像データに対応するＰＴＳを取得し、ＰＴＳに基づくタイミングで各映像データをディスプレイに表示する機能を有する。
＜データ＞
本実施の形態に係る記録再生装置の記憶部１６０に格納されるデータについて説明する。
【００３７】
＜ＴＳパケット構造＞
図３(ａ)は、ＴＳ化部１５０によってＴＳパケット化された標準的なＴＳパケットのデータ構造を示している。
Syntax３１は、圧縮後映像データを含むビットストリームの構造を示しており、No.of Bits３２は、Syntax３１で示される構造のビット数を示している。
【００３８】
同図に示す様に、adaptation_field_controlフィールド３３は、アダプテーションフィールドを含むか否かを示すフィールドであり、同図の３４、３５に示す様に、adaptation_field_controlフィールド３３の値が“１０”又は“１１”の場合は、ＴＳパケットは、アダプテーションフィールドを含み、adaptation_field_controlフィールド３３の値が“０１”又は“１１”の場合にはＰＥＳパケットのデータバイトのみか、アダプテーションフィールドとＰＥＳパケットのデータバイトを含む構成となる。
【００３９】
本実施の形態の場合、ＴＳパケットに圧縮後映像データを格納する場合には当該フィールドに“０１”を設定し、非圧縮映像データを格納する場合には当該フィールドに“１０”を設定する。
data_byteフィールド３６は、後述するＰＥＳパケットのデータが格納されることを示している。
＜アダプテーションフィールド構造＞
図４は、アダプテーションフィールドの構造を示している。
【００４０】
transport_private_data_flag３７は、アダプテーションフィールドにtransport_private_data_byteを含むか否かを示すフィールドであり、非圧縮映像データをプライベートデータに格納する場合には、transport_private_data_flagに“１”を設定する。
また、private_data_byte３８はユーザデータフィールドであり、ＴＳパケットのヘッダ部を除く１８４バイト以内に収まるよう当該フィールドにフレーム毎の非圧縮映像データを８ビット単位に格納する。
＜ＰＥＳパケット構造＞
図５、図６は、圧縮後映像データが格納される標準的なＰＥＳパケットの構成を示している。以下、本発明の特徴となるフィールドについて説明する。
【００４１】
PTS_DTS_flags４１は、ＰＴＳフィールドがＰＥＳパケットにあるか否かを示すフィールドである。同図に示す様に、ＰＥＳパケットにＰＴＳフィールドがある場合には、PTS_DTS_flags４１を“１０”に設定する。
ＰＴＳフィールド４２は、ＰＥＳパケット内の映像データを表示するタイミングを示す時刻情報を格納するフィールドであり、本実施の形態では、同図のＰＴＳフィールド４２に示すフォーマットでＰＴＳを付与する。
【００４２】
PES_private_data_flag４３は、ＰＥＳパケットにPES_private_dataフィールドを含んでいるかどうかを示すフィールドであり、PES_private_dataフィールドを含む場合には、PES_private_data_flag４３を“１”に設定する。
PES_private_dataフィールド４４は、１２８ビットのユーザデータを格納するフィールドである。
【００４３】
PES_packet_data_byte４５は、圧縮後映像データを格納するフィールドであり、ＴＳパケットのＴＳヘッダ部を除く１８４バイトに収まるように圧縮後映像データが８ビットづつ格納される。
＜非圧縮映像データのビット構成＞
図７は、非圧縮映像データをprivate_data_byte内に格納する際の非圧縮映像データのビット構成例を示しており、本実施の形態では、各非圧縮映像データのパケットをNon_encode_packet５１としてパケットの構成を新たに定義したものである。
【００４４】
ここで、non_enc_start_code_prefix５２は、非圧縮映像データのパケットのスタートコードを示すフィールドであり、本実施の形態では16ビットで表わすものとする。
ＰＴＳフィールド５３は、Non_encode_packet５１に格納される各非圧縮映像データのＰＴＳを示しており、同図に示す様に、上述したＰＥＳパケットのＰＴＳと同様のフォーマットでＰＴＳを設定する。
【００４５】
また、同図の５４に示す様に、ＰＴＳフィールド５３の次に各非圧縮映像データフィールドを定義する。
ここで、同図の５４に示すＮは、図８に示す原画像５５の水平方向の画素数であるＮを示し、Ｍは、垂直方向の画素数であるＭを示す。Ｙ[i，j]とＣb[i，j]及びＣr[i，j]は、原画像５５の画素５６に対する輝度信号と色差信号を示しており、各画像における画素毎の輝度信号及び色差信号を格納するための非圧縮映像データフィールドをＰＴＳフィールド５３の後に挿入する。
【００４６】
従って、ＰＴＳフィールド５３の次に、図４に示すアダプテーションフィールドのtransport_private_data_lengthフィールドで指定されたサイズ分の図７に示す輝度信号及び色差信号が格納された各パケットが、アダプテーションフィールドのprivate_data_byte３８(図３(ｂ))に順次挿入される。
＜動作＞
以下、上述した本実施の形態に係る記録再生装置の動作について説明する。
【００４７】
＜記録処理＞
図９は、本実施の形態に係る記録再生装置の記録処理を示す動作フロー図である。以下、同図に即して説明する。
圧縮符号化部１１１、差分比較部１２２、及び第２ＰＴＳ付与部１４０は、非圧縮デジタル映像信号を受信する。また、圧縮符号化部１１１は、受信したデジタル映像信号をフレーム毎に圧縮し、圧縮した圧縮後映像データを第１ＰＴＳ付与部１３０とローカルデコーダ１２１へ送出する(ステップＳ１１)。
【００４８】
第１ＰＴＳ付与部１３０は、ステップＳ１１で受付けた圧縮後映像データで示されるフレームに対してＰＴＳを付与してＰＥＳパケット化(図４)し、ＴＳ化部１５０へ当該ＰＥＳパケットを送出する。また、第２ＰＴＳ付与部１４０は、受信した非圧縮映像データを図５に示すNon_encode_packetのビット構成に従い、非圧縮映像データのパケットスタートコードと、非圧縮映像データの各フレームのＰＴＳを設定し、各フレームの輝度信号及び色差信号を含むパケットをＴＳ化部１５０へ送出する(ステップＳ１２)。
【００４９】
続いて、ローカルデコーダ１２１は、圧縮符号化部１１１から受付けた圧縮後映像データを伸長し、差分比較部１２２へ伸長した復号映像データを送出する。
差分比較部１２２は、ローカルデコーダ１２１によって復号された復号映像データと、ステップＳ１１で受付けた非圧縮映像データについて、各々の対応する画素値を比較して差分を算出し、フレームの差分合計が閾値以上か否か判定する(ステップＳ１３)。
【００５０】
ステップＳ１３において、差分比較部１２２により差分が閾値以上でないと判定された場合、即ち、当該フレームの圧縮が所定の画質基準を超える圧縮であると判断された場合(ステップＳ１３:Ｙ)、差分比較部１２２は、ＴＳ化部１５０へLowレベルの制御信号を送出する(ステップＳ１４)。
ＴＳ化部１５０は、差分比較部１２２からLowレベルの制御信号を受信すると、ステップＳ１２において第１ＰＴＳ付与部１３０及び第２ＰＴＳ付与部１４０から受付けた映像データのうち、第１ＰＴＳ付与部１３０から受付けた圧縮後映像データを含むＰＥＳパケットを選択する(ステップＳ１５)。
【００５１】
ＴＳ化部１５０は、図３に示すＴＳパケットの構成に従い、ＴＳヘッダのadaptation_field_control３３に“０１”を設定し、ステップＳ１５で選択したＰＥＳパケットをＴＳパケットのdata_byte３６に挿入してＴＳパケット化し、記憶部１６０に当該ＴＳパケットを記憶する(ステップＳ１６)。
また、ステップＳ１３において、差分比較部１２２により差分が閾値以上であると判断された場合、即ち、当該フレームの圧縮が所定の画質基準を超える圧縮でないと判断された場合(ステップＳ１３:Ｎ)、ＴＳ化部１５０へHighレベルの制御信号を送出する(ステップＳ１７)。
【００５２】
ＴＳ化部１５０は、差分比較部１２２からHighレベルの制御信号を受信すると、ステップＳ１２において第１ＰＴＳ付与部１３０及び第２ＰＴＳ付与部１４０から取得した映像データのうち、非圧縮映像データを含むNon_encode_packetを選択する(ステップＳ１８)。
ＴＳ化部１５０は、図３に示すＴＳパケットの構成に従い、ＴＳヘッダのadaptation_field_control３３に“１０”を設定し、ステップＳ１８で選択したNon_encode_packet(図４)をアダプテーションフィールドのprivate_data_byteフィールド３８(図４)に順次挿入してＴＳパケット化し、当該ＴＳパケットを記憶部１６０に記録する(ステップＳ１９)。
【００５３】
上記記録処理により、映像コンテンツの圧縮処理を行っている途中で、他の映像コンテンツのダビング処理等を並行して行い、その際には画質精度を落として圧縮するなどの圧縮処理性能が悪化する要因が発生したとき、既に圧縮処理を施した圧縮後映像データをＴＳパケット化して記録すると共に、圧縮処理性能が悪化している間は非圧縮映像データにＰＴＳを付与しＴＳパケット化して記録することで、記録処理後の映像データの画質をある一定の基準以上に保ちつつ、非圧縮及び圧縮後の各映像データをＴＳとして記録することができるので、一定の画質で映像を再生することができる。
【００５４】
次に、本実施の形態に係る記録再生装置の再生処理について説明する。
＜再生処理＞
図１０は、本実施の形態に係る記録再生装置の再生処理を示す動作フロー図である。以下、同図に即して説明する。
ステップＳ２１において、読出部２１０は、記録部１００によって記録された映像データのＴＳを記憶部１６０から読み出し、ＴＳ分離部２２０へ送出する。
【００５５】
ＴＳ分離部２２０は、読出部２１０からＴＳを受付けると、ＴＳパケット毎にＴＳヘッダのadaptation_field_control３３(図３)に“０１”が設定されているか否か判断する(ステップＳ２２)。
ステップＳ２２において、ＴＳ分離部２２０がadaptation_field_control３３に“０１”が設定されていると判断した場合(ステップＳ２２:Ｙ)、そのＴＳパケットに挿入されたＰＥＳパケット(図５、図６)を第１ＰＴＳ抽出部２４０へ送出し、packet_start_code_prefixで示されるＰＥＳパケットのPES_packet_data_byte４５(図６)に挿入された圧縮後映像データ(ＥＳ)を復号部２５０に送出する(ステップＳ２３)。
【００５６】
続いて、第１ＰＴＳ抽出部２４０は、ＴＳ分離部２２０から受付けたＰＥＳパケットのＰＴＳフィールド４２(図５)に格納されたＰＴＳを抽出し、表示制御部２６０へ送出する。また、復号部２５０は、ＴＳ分離部２２０から圧縮後映像データ(ＥＳ)を受付けると、当該圧縮後映像データを伸長し、伸長した復号映像データを表示制御部２６０へ送出する(ステップＳ２４)。
【００５７】
また、ステップＳ２２において、ＴＳ分離部２２０がadaptation_field_control３３に“０１”が設定されていないと判断した場合(ステップＳ２２:Ｎ)、ＴＳパケットのアダプテーションフィールドのprivate_data_byte３８(図４)に挿入されたNon_encode_packet(図７)のnon_enc_start_code_prefix５１から非圧縮映像データのパケットスタートコードを読出し、非圧縮映像データのパケットの輝度信号及び色差信号を表示制御部２６０へ順次送出する。また、Non_encode_packetに格納されたデータを第２ＰＴＳ抽出部２３０へ送出する(ステップＳ２５)。
【００５８】
続いて、第２ＰＴＳ抽出部２３０は、ＴＳ分離部２２０からNon_encode_packetのデータを受付けると、ＰＴＳフィールドに格納されたＰＴＳを抽出して表示制御部２６０へ送出する(ステップＳ２６)。
表示制御部２６０は、ステップＳ２４において第１ＰＴＳ抽出部２４０で抽出されたＰＴＳ及び復号部２５０によって伸長された映像データ、又は、ステップＳ２５においてＴＳ分離部２２０から送出された非圧縮映像データである輝度信号及び色差信号と、ステップＳ２６において第２ＰＴＳ抽出部２３０で抽出されたＰＴＳを受付けると、抽出されたＰＴＳで示される各タイミングで受付けた各映像データをディスプレイ等に表示する(ステップＳ２７)。
＜実施の形態２＞
上述した実施の形態１では、圧縮処理性能が悪化した場合にはＴＳパケット化した非圧縮映像データを記録し、再生時には非圧縮映像データと圧縮後映像データが混在したＴＳを再生するものとして説明した。
【００５９】
本実施の形態では、圧縮処理性能が悪化した場合には実施の形態１で説明したように非圧縮映像データと圧縮後映像データが混在したＴＳを生成して一旦記憶部１６０に記録するだけでなく、記録した後に、例えば、複数の圧縮記録処理が並行して行われていない夜間や記録部の処理負荷が少ない期間等に、一旦記録した非圧縮映像データを含むＴＳを読出して非圧縮映像データを圧縮し、当該圧縮後の映像データを非圧縮映像データに換えて再度記録する。
【００６０】
尚、本実施の形態では、記録されているＴＳを読出して非圧縮映像データを記録部側へ送出する機構は、実施の形態１で説明した再生部側に設けるものとするが、記録部側に当該機構が設けられていてもよい。
また、読み出すＴＳの選択及び読み出すタイミングの指示(以下、「再記録指示」と言う。)は、記録再生装置外部のマイコン等によって行われ、マイコン等は、記録再生装置によって記録された非圧縮映像データのＴＳパケットを含むＴＳの識別子を記憶しており、ＴＳ識別子を指定して再記録指示を行うものとする。尚、マイコン等の制御については本発明の特徴部分ではないため説明を省略するものとする。
【００６１】
以下、本実施の形態に係る記録再生装置について説明する。
図１１は、本実施の形態に係る記録再生装置の機能構成図であり、記録再生装置は、記録部１０１と再生部２０１を含む。
以下、記録部１０１と再生部２０１の各部について説明するが、実施の形態１と同じ機能構成については同一の符号を付しており、実施の形態１と同じ機能構成については説明を省略する。
【００６２】
＜再生部２０１＞
同図の再生部２０１は、上述した実施の形態１の構成に加えて、ヘッダ解析部２１２を含んで構成される。
ここで、読出部２１１は、上述した実施の形態１の機能に加えて、図示しないマイコンによる再記録指示を受付け、記憶部１６０から指示されたＴＳ識別子で示されるＴＳを読出し、読み出したＴＳをヘッダ解析部２１２へ送出する機能を有する。
【００６３】
ヘッダ解析部２１２は、ＴＳを受付け、ＴＳパケット毎にＴＳパケットヘッダのadaptation_field_control３３の設定値に応じて、そのＴＳパケットをＴＳ分離部２２１へ送出する機能と、再生部２０１からの映像データを受付ける指示を記録部１０１の切替部１７０へ送出する機能を有する。また、ヘッダ解析部２１２は、ＴＳ化部１５０へ非圧縮映像データを含むＴＳパケット(以下、「圧縮前ＴＳパケット」と言う。)を示す情報を送出すると共に、圧縮前ＴＳパケットを再度ＴＳ化したＴＳパケット(以下、「再ＴＳパケット」と言う。)に置き換えて記録する再記録指示を送出する機能を有する。
【００６４】
ＴＳ分離部２２１は、読出部２１１又はヘッダ解析部２１２からＴＳパケットを受付け、ＴＳパケットの送出元に応じて、ＴＳパケット内の非圧縮映像データと非圧縮映像データに付与されたＰＴＳを記録部１０１へ送出する機能を有する。
＜記録部１０１＞
同図の記録部１０１は、上述した実施の形態１の構成に加えて、切替部１７０を含んで構成される。
【００６５】
切替部１７０は、記録再生装置外部から圧縮前デジタル映像信号を受信する機能に加えて、再生部２０１から圧縮前デジタル映像信号を受付ける機能を有する。また、切替部１７０は、再生部２０１から受付けた圧縮前デジタル映像信号を圧縮符号化部１１１へ送出する機能を有する。
ＴＳ化部１５０は、上述した再記録指示を受付けた場合、圧縮前ＴＳパケットを再度ＴＳパケット化した再ＴＳパケットに置き換えて記憶部１６０に記録する機能を有する。
＜動作＞
本実施の形態に係る記録再生装置の動作について説明する。
【００６６】
図１２は、本実施の形態に係る記録再生装置の再記録処理の動作フロー図である。以下、同図に即して再記録処理について説明する。
ステップＳ３１において、再生部２０１の読出部２１１は、再記録指示を受付けた場合(ステップＳ３１:Ｙ)、読出部２１１は、再記録指示で指示されたＴＳ識別子に対応する記憶部１６０内のＴＳパケットをＡＴＳに従って読み出し、ヘッダ解析部２１２へ送出する(ステップＳ３２)。
【００６７】
ヘッダ解析部２１２は、ステップＳ３２で送出されたＴＳを受付けると、各ＴＳパケットのadaptaion_field_control３３の設定値が“１０”か否か判断する(ステップＳ３３)。
ステップＳ３３において、ヘッダ解析部２１２がadaptaion_field_control３３の設定値が“１０”であると判断した場合(ステップＳ３３:Ｙ)、ヘッダ解析部２１２は、再生部２０１からの圧縮前デジタル映像信号を受信するよう記録部１０１の切替部１７０に入力切替指示を送出する。また、adaptaion_field_control３３が“１０”に設定されたＴＳパケットをＴＳ分離部２２１へ送出し、ＴＳ化部１５０へ当該圧縮前ＴＳパケットを示す情報と当該圧縮前ＴＳパケットを再ＴＳパケットに置き換えて記録する再記録指示を送出する(ステップＳ３４)。
【００６８】
ＴＳ分離部２２１は、ステップＳ３４で送出されたＴＳパケットを受付け、当該ＴＳパケットのアダプテーションフィールドのprivate_data_byte３８(図４)に挿入されたNon_encode_packet(図７)のnon_enc_start_code_prefix５１から非圧縮映像データのパケットスタートコードを読出し、非圧縮映像データのパケットの輝度信号及び色差信号と共に、当該Non_encode_packetのＰＴＳを切替部１７０へ順次送出する(ステップＳ３５)。
【００６９】
切替部１７０は、ステップＳ３５でＴＳ分離部２２１から送出された輝度信号及び色差信号とＰＴＳを含む圧縮前デジタル映像信号を受信すると、圧縮符号化部１１１へ当該圧縮前デジタル映像信号を送出し、圧縮符号化部１１１は、実施の形態１と同様に、圧縮前デジタル映像信号の輝度信号及び色差信号をフレーム単位に圧縮し、当該圧縮後映像データとＰＴＳを第１ＰＴＳ付与部１３０へ送出する。第１ＰＴＳ付与部１３０は、圧縮符号化部１１１から送出された圧縮後映像データとＰＴＳを受付け、その圧縮後映像データに受付けたＰＴＳを再度付与し、図５のＰＥＳパケットの定義に従ってＰＥＳパケットを生成し、ＴＳ化部１５０へ当該ＰＥＳパケットを送出する。
【００７０】
ＴＳ化部１５０は、実施の形態１と同様に、adaptaion_field_control３３を“０１”に設定し、第１ＰＴＳ付与部１３０から送出されたＰＥＳパケットをＴＳパケット(図３)のdata_byte３６に格納し、再ＴＳパケットを生成する(ステップＳ３６)。
ステップＳ３６に続いて、ＴＳ化部１５０は、ステップＳ３４で指示された圧縮前ＴＳパケットをステップＳ３６で生成された再ＴＳパケットに置き換えて記憶部１６０に記録する(ステップＳ３７)。
【００７１】
上述のように、最初に圧縮前デジタル映像信号を受信した際に、圧縮処理性能の悪化等が発生した場合には、非圧縮映像データを含むＴＳを記録媒体に一時的に記録し、圧縮処理性能が回復した際に上記再記録処理を行うことにより、非圧縮映像データのデータサイズを圧縮後映像データのデータサイズに減らすことができ、記録媒体を効率的に使用することができる。
＜補足＞
なお、本発明を上記の実施の形態に基づいて説明してきたが、本発明は、上記の実施の形態に限定されないのはもちろんである。以下のような場合も本発明に含まれる。
（１）上述した実施の形態１では、圧縮符号化部１１１で受信した非圧縮のデジタル映像信号を圧縮し、圧縮後映像データをローカルデコーダ１２１で伸長した映像データと非圧縮デジタル映像データを比較することにより圧縮処理性能が悪化したか否か判断することとして説明したが、圧縮符号化部１１０による圧縮を行う前に圧縮後映像データか非圧縮映像データのいずれを記録するか判断してもよい。
【００７２】
この場合、例えば、圧縮部１１０が所定数以上の圧縮記録要求を受付けた等の場合に、圧縮符号化部１１０は圧縮処理を中断し、またＴＳ化部１５０へ第２ＰＴＳ付与部１４０から送出される非圧縮映像データを選択するよう指示する。
圧縮符号化部１１１は圧縮処理対象が所定数以下になるまで圧縮処理を中断し、またＴＳ化部１５０は圧縮符号化部１１１から第２ＰＴＳ付与部１４０からの非圧縮映像データを選択する指示が解除されるまで非圧縮映像データを取得し、記憶部１６０へ取得した非圧縮映像データをＴＳパケット化して記録する。
（２）また、上述した実施の形態１では、ＴＳ化部１５０は、圧縮後映像データの画質が一定の画質基準を満たしているか否かにより、第１ＰＴＳ付与部１３０又は第２ＰＴＳ付与部１４０のいずれかの映像データを選択するものとして説明したが、圧縮符号化部１１１によって出力される圧縮後映像データの出力時間間隔が、例えば１／３０秒等の所定時間を超えたか否かにより第１ＰＴＳ付与部１３０又は第２ＰＴＳ付与部１４０のいずれかの映像データを選択する構成であってもよい。
【００７３】
この構成によれば、圧縮符号化部１１１が所定の時間内にフレーム単位の圧縮処理を完了することができなければ、他の映像コンテンツの記録処理等によって圧縮処理能力が低下し、圧縮処理性能が悪化していると判断することができる。
（３）また、上述した実施の形態では、ＴＳ化部１５０は、第２ＰＴＳ付与部１４０から送出された所定量の非圧縮映像データをＴＳパケットのアダプテーションフィールドのPrivate_data_byteフィールド３８(図４)に格納するものとして説明したが、ＰＥＳパケットのPES_private_dataフィールド４４(図６)を用いて格納してもよい。
（４）また、上述した実施の形態では、輝度信号及び色差信号で表した非圧縮映像データを記録するものとして説明したが、ＲＧＢで表した非圧縮映像データを記録することとしてもよい。
（５）また、上述した実施の形態では、記憶部１６０はＴＳパケットを受付けた際にＡＴＳを付加して記録するものとして説明したが、各ＴＳパケットと共に各ＴＳパケットの受付順及び受付時間間隔を示す読出時刻情報を記憶することとしてもよい。
（６）また、上述した実施の形態では、記録再生装置は記録部と再生部で構成され、記録部がＴＳ化した映像コンテンツを記録し、再生部が記録されたＴＳを再生するためにＴＳを読み出し、再圧縮記録処理を記録部に行わせるものとして説明したが、記録部がＴＳの再生を行わせるためのＴＳの読出し、再圧縮記録処理を行う構成であってもよい。
（７）また、上述した実施の形態では、MPEG-2システムのＴＳフォーマットに従って圧縮後映像データ及び非圧縮映像データを記録するものとして説明したが、圧縮後映像データと非圧縮映像データの各々に対応する時刻情報が付加され、圧縮後映像データと非圧縮映像データを区別しうるフォーマットであれば、ＴＳフォーマット以外のフォーマットであってもよい。
（８）本発明は、実施の形態で説明したステップを含む方法であるとしてもよい。また、これらの方法を、コンピュータシステムを用いて実現するためのコンピュータプログラムであるとしてもよいし、前記プログラムを表すデジタル信号であるとしてもよい。
【００７４】
また、本発明は、前記プログラム又は前記デジタル信号を記録したコンピュータ読取り可能な記録媒体、例えば、フレキシブルディスク、ハードディスク、ＣＤ、ＭＯ、ＤＶＤ、ＢＤ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００７５】
また、前記プログラム又は前記デジタル信号は、前記記録媒体に記録されて移送され、若しくは、前記ネットワーク等を経由して移送され、独立した他のコンピュータシステムにおいて実施されるとしてもよい。
【産業上の利用可能性】
【００７６】
本発明に係る記録再生装置は、複数の映像コンテンツを並行して記録再生するハードディスクレコーダ等や、複数の端末からホームネットワークを経由して映像コンテンツを圧縮記録することができるホームサーバ等に利用できる。
【図面の簡単な説明】
【００７７】
【図１】実施の形態1に係る記録再生装置の機能ブロック図を示している。
【図２】制御信号とトランスポートストリームとの関係を表す図である。
【図３】トランスポートストリームパケットの構造を表す図である。
【図４】アダプテーションフィールドの構造を表す図である。
【図５】ＰＥＳパケットの構造を表す図である。
【図６】ＰＥＳパケットの構造を表す図である。
【図７】非圧縮映像データのビット構成を表す図である。
【図８】原画像の各画素における輝度信号及び色差信号を表す図である。
【図９】実施の形態１に係る記録部の記録処理を示すフロー図である。
【図１０】実施の形態１に係る再生部の再生処理を示すフロー図である。
【図１１】実施の形態２に係る記録再生装置の機能ブロック部を示している。
【図１２】実施の形態２に係る再記録処理を示すフロー図である。
【符号の説明】
【００７８】
１００、１０１  記録部
１１０  圧縮部
１１１  圧縮符号化部
１２０  判定部
１２１  ローカルデコーダ
１２２  差分比較部
１３０  第１ＰＴＳ付与部
１４０  第２ＰＴＳ付与部
１５０  ＴＳ化部
１６０  記憶部
１７０  切替部
２００、２０１  再生部
２１０、２１１  読出部
２１２  ヘッダ解析部
２２０  ＴＳ分離部
２３０  第２ＰＴＳ抽出部
２４０  第１ＰＴＳ抽出部
２５０  復号部
２６０  表示制御部
【図１】
0004825202.tif 000002
【図２】
0004825202.tif 000003
【図３】
0004825202.tif 000004
【図４】
0004825202.tif 000005
【図５】
0004825202.tif 000006
【図６】
0004825202.tif 000007
【図７】
0004825202.tif 000008
【図８】
0004825202.tif 000009
【図９】
0004825202.tif 000010
【図１０】
0004825202.tif 000011
【図１１】
0004825202.tif 000012
【図１２】
0004825202.tif 000013